(57)【要約】【課題】カード，有価証券，物体等に埋め込んだ半導体チップの位置合わせ方法が困難であった。【解決手段】上記課題を解決するために，読み取り装置本体に取り付けたスライド及び伸縮可能な伸縮ストッパーを用いることによって，カード，有価証券，物体等に埋め込んだ情報を容易で再現性が安定した読み取り可能な読み取り装置を用いることによって解決される。【選択図】  図２
2004295274.tif 000002
【特許請求の範囲】
【請求項１】
カードに半導体チップを埋め込んだチップ付きカードにおいて，カードに付けた半導体チップは，電磁波でリーダと非接触で動作して，データの送受信を行い，前記カードに埋め込んだ半導体チップは，カード用リーダに取り付けた読み取りアンテナの位置に一致させるためにカード用リーダと一体化した伸縮ストッパーによって接触位置決めされることを特徴とする伸縮ストッパー付き読み取り装置。
【請求項２】
カードに半導体チップを埋め込んだチップ付きカードにおいて，カードに付けた半導体チップは，電磁波でリーダと非接触で動作して，データの送受信を行い，前記カードに埋め込んだ半導体チップは，カード用リーダに取り付けた読み取りアンテナの位置に一致させるためにカード用リーダと一体化した伸縮ストッパーによって接触位置決めされることを特徴とする伸縮ストッパー付き読み取り装置において，カードに接触してカード用リーダに取り付けた読み取りアンテナに一致させる伸縮ストッパーを可動可能としたことを特徴とする伸縮ストッパー付き読み取り装置。
【請求項３】
カードに半導体チップを埋め込んだチップ付きカードにおいて，カードに付けた半導体チップは，電磁波でリーダと非接触で動作して，データの送受信を行い，前記カードに埋め込んだ半導体チップは，カード用リーダに取り付けた読み取りアンテナの位置に一致させるためにカード用リーダと一体化した伸縮ストッパーによって接触位置決めされることを特徴とする伸縮ストッパー付き読み取り装置において，カードと接触する伸縮ストッパーは，複数の部品で構成され，接続方法は，柔軟性のあるバネ，ゴム等で一体化した構造で位置決めされることを特徴とする伸縮ストッパー付き読み取り装置。
【発明の詳細な説明】
【０００１】
【発明の属する技術分野】
本発明は，カード，有価証券，物体等に埋め込んだ半導体チップの情報を読み取るための装置に関する。
【０００２】
【従来の技術】
従来のリーダライタを用いての読み取り方法については，例えば図１に示す構成が特許文献１に記載されている。図１は，従来のリーダライタ１２０でＩＣチップ１１０を埋め込んだ紙，布，プラスチック等のシート１３０の読み取り装置を示す。まず，紙，布，プラスチック等のシート１３０の角度に埋め込んだＩＣチップ１１０をリーダライタ１２０の案内溝１４０に添って入れ，案内溝１４０の側面に接触するまで入れる。その後，シート１３０に埋め込んだＩＣチップ１１０位置とリーダライタ１２０内のアンテナ位置を一致させて動作確認を行っていた。
【特許文献１】特開２００１―１４８０００号公報
【発明が解決しようとする課題】
前記従来方法では，次の様な課題がある。
▲１▼シートにＩＣチップを埋め込む際，埋め込む位置がシート毎に製造バラツキが発生する。▲２▼シートと案内溝が接する２辺が互いに同一面（直角度）でない。▲３▼シートをリーダライタに挿入後，シート厚み方向の固定方法が確実でない。これらの要因により，リーダライターに内蔵された読み取りアンテナとの位置ズレが発生し，再現性良く読み取ることが困難となる。そのため，シートへ埋め込むＩＣチップの位置決め精度を高くすることと，シートの２辺が同一面になる様に加工する必要があるため，製造コストが大幅に増大すると言った問題点があった。
【０００３】
本発明は，上記の課題を解決し，埋め込まれたＩＣチップ位置に左右されずに短時間で再現性良く，通信可能な読み取り装置を提供することを目的とする。
【０００４】
【課題を解決するための手段】
前記，課題を解決するために，本願で開示する代表的な発明は以下の通りである。カードに半導体チップを埋め込んだチップ付きカードにおいて，カードに付けた半導体チップは，電磁波でリーダと非接触で動作して，データの送受信を行い，前記カードに埋め込んだ半導体チップは，カード用リーダに取り付けた読み取りアンテナの位置に一致させるためにカード用リーダと一体化した伸縮ストッパーによって接触位置決めされることを特徴とする伸縮ストッパー付き読み取り装置とすることである。
【０００５】
【発明の実施の形態】
図２は，本発明による読みとり装置の全体図である。前記，読み取り装置の特徴は，読み取り装置２２０の本体内部に同軸ケーブル２６０に接続した読み取りアンテナ２７０が内蔵され，読み取り装置の本体側面には，伸縮ストッパー２５０を固定するためのストッパー固定台２４０を介して，伸縮自在でスライド可能な伸縮ストッパー２５０が一体となって構成されている。前記，伸縮ストッパー２５０は，１枚の板で作製されている。まず，半導体チップ２７１が埋め込まれたカード２３０をカード挿入口２７２に読み取りアンテナ２７０と一致できる方向で挿入する。次に，ストッパー固定台２４０を介して，固定した伸縮ストッパー２５０にカードの側面を接触させながらカード２３０に埋め込んだ半導体チップ２７１と読み取りアンテナ２７０を位置合わせする。この際，半導体チップ２７１との動作が不可の場合は，伸縮ストッパー２５０の固定を解除して伸縮ストッパー２５０とカード２３０が接触した状態で一緒に動かしながら読み取りアンテナ２７０とカード２３０に埋め込んだ半導体チップ２７１の位置合わせを行う。その後，伸縮ストッパー２５０を固定する。また，図３に動作確認迄の流れを説明する。質問機３５０に電力を供給することによって質問機３５０から電波が発生し，同軸ケーブル２６０を介して読み取りアンテナ２７０より，カード２３０に埋め込まれた半導体チップ２７１の中の整流回路より電圧が発生する。その後，半導体チップ２７１の中のコンデンサに電荷を蓄えて，内部のデジタル回路の負荷を安定化させた後，質問機からの搬送波を変調させ，コマンド等の信号を半導体チップに送り返す。この戻ってきた信号を復調し，パソコン３３０内のソフトを介してカード２３０に埋め込まれた半導体チップ２７１の動作可否が確認される。
【０００６】
上記で得られた読み取り装置にすることによって，カード，有価証券，物体等の表面や側面であってもても基準となる伸縮ストッパーきが読み取り装置に一体となっているため，位置決めが簡単となるため，短時間で再現性良く情報を読み取ることが可能となる。
【０００７】
図４は，本発明による読み取り装置に設置されるスライド及び伸縮可能な伸縮ストッパーの拡大図である。前記，伸縮ストッパー２５０の特徴は，  ２枚のストッパー板２８０Ａ，２８０Ｂの側面に基準シャフト２９０Ａ，２９０Ｂとバネ３００Ａ，３００Ｂを設置するための基準シャフト穴３１０Ａ，３１０Ｂとバネ穴３２０Ａ，３２０Ｂが設けてある。前記，基準シャフト穴とバネ穴に基準シャフト，バネを取り付けることによって２枚のストッパー板２８０Ａ，２８０Ｂが一体となる。前記，一体となった伸縮ストッパー２５０は，読み取り装置２２０側面に伸縮ストッパー２５０を挿入するための穴が設けられ，ストッパー固定台２４０が設置されている。前記，ストッパー固定台２４０にスライド及び伸縮が可能な伸縮ストッパー２５０を挿入後，固定することによって達成される。前記，伸縮ストッパー２５０は，ストッパー板側面２５１にカード２３０側面を接触させた状態で一緒に押しつけることによって伸縮ストッパー２５０内に内蔵されているバネ３００Ａ，３００Ｂに応力が働き，基準シャフト２９０Ａ，２９０Ｂがガイドラインとなり，二つのバネ３００Ａ，３００Ｂが伸縮することによってカードに埋め込まれた半導体チップと読み取りアンテナが一致する。前記，構造では基準シャフトとバネを使用しているが，バネの変わりにスポンジ，ゴム等の弾力性があるものを用いてもかまわない。また，複数の部品で構成する必要がなく，一体となった状態でも可動可能なため問題ない。
【０００８】
上記で得られた伸縮ストッパー構造にすることによって，読み取り装置に内蔵された読み取りアンテナとカードに埋め込まれた半導体チップ位置が微妙に一致し難い時に伸縮ストッパーの側面にカードを接触させた状態でカード本体に力を加えることによって読み取りアンテナと埋め込まれた半導体チップ位置を一致させることが出来るため，微妙に位置ずれしている状態であってもカード全体に応力をかけることによって簡単で短時間に再現性良く読み取ることが可能となる。
【０００９】
【発明の効果】
以上に詳しく説明した様に，カードに埋め込まれた半導体チップを非接触で，読み取り位置合わせが容易であるため，  カードに埋め込んだチップ位置に左右されずに再現性が高い読み取り装置とすることが出来る。
【図面の簡単な説明】
【図１】従来の読み取り装置の構成図。
【図２】本発明の構成を示す図。
【図３】本発明の読み取り構成図。
【図４】本発明の実施例を示す図。
【符号の説明】
１００…シート装置，１１０…ＩＣチップ，１２０…リーダライター，１３０…シート，１４０…案内溝，２２０…読み取り装置，２３０…カード，２４０…ストッパー固定台，２５０…伸縮ストッパー，  ２５１…ストッパー板，２６０…同軸ケーブル，２７０…読み取りアンテナ，２７１…半導体チップ，２７２…カード挿入口，２８０Ａ…ストッパー板，２８０Ｂ…ストッパー板，２９０Ａ…基準シャフト，２９０Ｂ…基準シャフト，  ３００Ａ…バネ，３００Ｂ…バネ，３１０Ａ…基準シャフト穴，３１０Ｂ…基準シャフト穴，３２０Ａ…バネ穴，３２０Ｂ…バネ穴，３３０…パソコン，３４０…接続ケーブル，３５０…質問機。
【図１】
2004295274.tif 000003
【図２】
2004295274.tif 000004
【図３】
2004295274.tif 000005
【図４】
2004295274.tif 000006